(57)【要約】【課題】加圧保持部材を操作した際に従来生じ易かった削りカスによる粉塵の発生を抑制でき、しかもハウジングに対して開いた状態となった加圧保持部材の確実な自立性を確保でき、信頼性の向上及び自動実装に好適なＦＰＣ用コネクタとすることができること。【解決手段】加圧保持部材（４０）は、軸（３Ａ）に沿った一部に一体として構成されており加圧保持部材（４０）の回転に連動して回転する姿勢保持軸部材（９９）を備えている。この姿勢保持軸部材（９９）は、姿勢保持軸部材（９９）の一部であって軸（３Ａ）に垂直な方向に突出する凸部（９９Ａ）、この凸部（９９Ａ）によって形成された第１姿勢保持面（９８Ｂ）及び第２姿勢保持面（９９Ｃ）を備えている。第１姿勢保持面（９８Ｂ）と第２姿勢保持面（９９Ｃ）とが軸（３Ａ）を介してオフセットされた関係にある位置に形成されている。【選択図】図６
2010086895.tif 000002
【特許請求の範囲】
【請求項１】
所定ピッチで接続部が配列されたＦＰＣ（８０）の先端が挿入される受入空洞（２３）が形成されており、前記受入空洞（２３）内に所定ピッチで配列された端子（６５）を備えるハウジング（２０）と、
前記ＦＰＣ（８０）が前記ハウジング（２０）に挿入された状態で、前記ＦＰＣ（８０）のほぼ幅方向に沿った軸（３Ａ）を中心として回転されることにより、前記ＦＰＣ（８０）を押圧して前記ＦＰＣ（８０）の接続部と前記端子（６５）とを導通させつつ前記ハウジング（２０）に固定する加圧保持部材（４０）と、
前記ハウジング（２０）を基板に対して固定する固定部材（９８）と、
を有し、
前記加圧保持部材（４０）は、
前記軸（３Ａ）に沿った軸部材（３）の一部として構成されており前記加圧保持部材（４０）の回転に連動して回転する姿勢保持軸部材（９９）を備え、
前記姿勢保持軸部材（９９）は、
その一部であって前記軸（３Ａ）に垂直な方向に突出する凸部（９９Ａ）と、
前記姿勢保持軸部材（９９）の周面に形成された前記凸部（９９Ａ）の存在によって形成された面であって、前記ハウジング（２０）の一部である第１接触面（２０Ｂ）が突き当たる第１姿勢保持面（９８Ｂ）と、
前記姿勢保持軸部材（９９）の周面において前記軸（３Ａ）を挟んで前記第１姿勢保持面（９８Ｂ）とはほぼ線対称な位置に形成された面であって、前記固定部材（９８）の一部である第２接触面（９８Ｃ）が突き当たる第２姿勢保持面（９９Ｃ）と、
を備え、
前記第１姿勢保持面（９８Ｂ）と前記第２姿勢保持面（９９Ｃ）とが前記軸（３Ａ）を介してオフセットされた位置に形成されている
ことを特徴とするＦＰＣ用コネクタ。
【請求項２】
前記固定部材（９８）は、
前記ハウジング（２０）に固定された固定部材本体（９８Ｃ）と、
前記固定部材本体（９８Ｃ）の先端近傍に連続して形成されており、前記加圧保持部材（４０）の軸（３Ａ）に沿った方向に前記加圧保持部材（４０）の側面を付勢する当接保持部（９８Ａ）と、
を備えることを特徴とする請求項１に記載のＦＰＣ用コネクタ。
【請求項３】
前記加圧保持部材（４０）は、
前記軸（３Ａ）に沿って前記軸（３Ａ）の少なくとも一部に形成された回転支点部（９９Ｄ）
を備え、
前記ハウジング（２０）は、
前記回転支点部（９９Ｄ）を把持しつつ前記ハウジング（２０）の方向へ付勢する支点保持部材（６２）
を備えることを特徴とする請求項１又は２に記載のＦＰＣ用コネクタ。
【請求項４】
前記支点保持部材（６２）は、
前記ハウジング（２０）への付勢方向において薄い平板状の部材である
ことを特徴とする請求項３に記載のＦＰＣ用コネクタ。
【発明の詳細な説明】
【技術分野】
【０００１】
この発明は、一般にＦＰＣ，ＦＦＣなどと呼ばれている平形柔軟ケーブル（以下、「ＦＰＣ」という。）を接続するためのＦＰＣ用コネクタに関する。
【背景技術】
【０００２】
一般的なフレキシブル基板用コネクタは、ハウジング部、コンタクト及びカバー部を有する。ハウジング部には、フレキシブル基板が挿入可能な開口部が形成されている。コンタクトは、前記開口部にその接触部が臨むようにハウジング部の内部に配列されている。カバー部（本発明の加圧保持部材に相当）は、開閉可能に構成されたハウジング部の開口部を塞ぐことができる。
【０００３】
従来のフレキシブル基板用コネクタは、カバー部を開いた状態で基板上に設置する際にハウジング部が上下方向において不安定となり、基板上における所望の設置位置から位置ずれを生じてしまうことを防止するため、そのカバー部を開いた状態で保持するための保持手段を備えている（例えば特許文献１参照）。このような保持手段としては、特許文献１の図７に示されるように、その先端に形成された上段のリブ４１１がフード部３１０の下段のリブ４２０に係合することによりカバー部３００がハウジング部１００に保持される構成を採用していた。
【０００４】
【特許文献１】特開２００７−１６５０６０号公報（図７など）
【発明の開示】
【発明が解決しようとする課題】
【０００５】
しかしながら、このような従来のＦＰＣ用コネクタにおいては、上段のリブ４１１と下段のリブ４２０とのオーバーラップ量が多いため、カバー部を操作した際、上段のリブ４１１と下段のリブ４２０との摩擦により樹脂が摩耗し、その摩耗による削りカスが発生し易い傾向がある。このような削りカスによる粉塵が生じると、粉塵により接触不良などが生じてＦＰＣ用コネクタの機能に影響し、信頼性が低下するおそれがあった。
【課題を解決するための手段】
【０００６】
上記課題を解決するために、本発明においては、所定ピッチで接続部が入れてされたＦＰＣの先端が挿入される受入空洞が形成されており、前記受入空洞内に所定ピッチで配列された端子を備えるハウジングと、前記ＦＰＣが前記ハウジングに挿入された状態で、前記ＦＰＣのほぼ幅方向に沿った軸を中心として回転されることにより、前記ＦＰＣを押圧して前記ＦＰＣの接続部と前記端子とを導通させつつ前記ハウジングに固定する加圧保持部材と、前記ハウジングを基板に対して固定する固定部材と、を有し、前記加圧保持部材は、前記軸に沿った軸部材の一部として構成されており前記加圧保持部材の回転に連動して回転する姿勢保持軸部材を備え、前記姿勢保持軸部材は、その一部であって前記軸に垂直な方向に突出する凸部と、前記姿勢保持軸部材の周面に形成された前記凸部の存在によって形成された面であって、前記ハウジングの一部である第１接触面が突き当たる第１姿勢保持面と、前記姿勢保持軸部材の周面において前記軸を挟んで前記第１姿勢保持面とはほぼ線対称な位置に形成された面であって、前記固定部材の一部である第２接触面が突き当たる第２姿勢保持面と、を備え、前記第１姿勢保持面と前記第２姿勢保持面とが前記軸を介してオフセットされた位置に形成されていることを特徴とする。
【０００７】
このような構成とすると、加圧保持部材を操作した際に従来生じていた削りカスによる粉塵の発生を抑制できるばかりでなく、ハウジングに対して開いた状態となった加圧保持部材の確実な自立性を確保でき、信頼性を向上することができる。
【０００８】
また本発明においては、上記構成に加えて，前記固定部材は、前記ハウジングに固定された固定部材本体と、前記固定部材本体の先端近傍に連続して形成されており、前記加圧保持部材の軸に沿った方向に前記加圧保持部材の側面を付勢する当接保持部と、を備えることを特徴とする。
【０００９】
このような構成とすると、ハウジングに対して開いた状態となった加圧保持部材の確実な自立性を確保することができる。
【００１０】
また本発明においては、上記構成に加えて、前記加圧保持部材は、前記軸に沿って前記軸の少なくとも一部に形成された回転支点部を備え、前記ハウジングは、前記回転支点部を把持しつつ前記ハウジングの方向へ付勢する支点保持部材を備えることを特徴とする。
【００１１】
このような構成とすると、加圧保持部材がハウジングから容易に抜け落ちることが無い。
【００１２】
また本発明においては、上記構成に加えて、前記支点保持部材は、前記ハウジングへの付勢方向において薄い平板状の部材であることを特徴とする。
【００１３】
このような構成とすると、支点保持部材を形成するのに、平板状の素材材料を打ち抜きにより、しかも複数の支点保持部材をまとめて形成することができる。このため素材材料を効率良く使用することができる。しかも、まとめて形成した複数の支点保持部材（いわゆる櫛歯状となっている）を一括してハウジングに圧入して基部を切除すれば、各支点保持部材をハウジングに圧入する手間を大幅に省くことができるため、作業効率が向上する。
【発明の効果】
【００１４】
本発明によれば、加圧保持部材を操作した際に従来生じていた削りカスによる粉塵の発生を抑制でき、しかもハウジングに対して開いた状態となった加圧保持部材の確実な自立性を確保でき、信頼性の向上及び自動実装に好適なＦＰＣ用コネクタとすることができる。
【発明を実施するための最良の形態】
【００１５】
以下、この発明の実施形態を添付の図を参照して説明する。
【００１６】
図１は、本発明の実施形態としてのＦＰＣ用コネクタ１０の構成例を示す斜視図である。
【００１７】
ＦＰＣ用コネクタ１０は、その外観上、加圧保持部材に相当する加圧保持部材４０、ハウジング２０、固定部材９８及びテール部６０を有する。ＦＰＣ用コネクタ１０は、ハウジング２０の受入空洞（図示せず）にＦＰＣ８０を挿入させた状態で、加圧保持部材４０を軸３Ａを中心としてＲ方向に回転させることでＦＰＣ８０を押圧して保持し、ＦＰＣ８０と電気的に導通させる構成となっている。
【００１８】
ＦＰＣ用コネクタ１０は、挿入されるＦＰＣ８０における回路数（局数）に応じてその幅が適宜選択される構成となっており、ハウジング２０に対して加圧保持部材４０をＲ方向に沿って回転させることで開いた状態（図示の状態）から閉じた状態となる。ＦＰＣ８０は、前述のようないわゆるフラット形状のケーブル部材であり、そのケーブル部材上に所定ピッチで多数の導体が配列された構成となっている。また、この導体は、ＦＰＣ８０の両端部において表面（適宜、上面又は下面に配列される）に露出させることにより、接続部（図示せず）として機能させることができる。固定部材９８は、図示しないプリント配線基板にハウジング２０を固定する機能を有する。テール部６０は薄い金属板を打ち抜いて形成され、後述するターミナル（図示せず）に連続した構成となっている。
【００１９】
図２は、図１に示すＦＰＣ用コネクタ１０の一方の端部を拡大した構成例を示す斜視図である。
【００２０】
ハウジング２０は、絶縁性のプラスチックを成型したハウジング本体内に、テール部６０に連続するターミナルを収容した構成となっている。ハウジング２０は、先端部分が挿入されたＦＰＣ８０を押圧して保持し、そのターミナル部とＦＰＣ８０の接続部とが接触し、ターミナルとＦＰＣ８０とを電気的に導通させる。
【００２１】
加圧保持部材４０の軸３Ａにおける少なくとも一方の端部近傍には、軸部材３の一部として姿勢保持軸部材９９が形成されている。この姿勢保持軸部材９９は、加圧保持部材４０の姿勢をハウジング２０に対して開いた状態（図示の状態）に保持する機能を有する。この姿勢保持軸部材９９は、加圧保持部材４０の一方の端部に形成されていても良いし、両方の端部に形成されていても良い。この姿勢保持軸部材９９の詳細については後述する。
【００２２】
固定部材９８は、その先端に当接保持部９８Ａが形成されている。この当接保持部９８Ａは、例えばハウジング２０に対して開いた状態の加圧保持部材４０の側面４０Ｓを付勢することで、加圧保持部材４０を開いた状態のまま安定的に（いわゆるガタを生じず）保持する機能を有する。この機能は上述した姿勢保持機能に相当し、この姿勢保持機能に関しては後述する。
【００２３】
図３は、図２に示すＦＰＣ用コネクタ１０をＨ方向から見た場合における側面図である。
ＦＰＣ用コネクタ１０は、図示の状態において加圧保持部材４０がハウジング２０に対して開いた状態を表している。上述のように加圧保持部材４０は、軸３Ａを中心としてＲ方向に沿って回転可能な構成となっており、例えばＦＰＣ用コネクタ１０を単体で搬送する場合、図示のように加圧保持部材４０が開いた状態となっている。
【００２４】
上述した姿勢保持軸部材９９は、ハウジング２０の一部（後述する第１接触面）及び固定部材９８の一部（後述する第２接触面）が接触しており、軸３Ａを中心として偶力を作用させ、加圧保持部材４０を開いた状態で維持させる機能を有する。固定部材９８は、主として加圧保持部材４０及びハウジング２０の側部に露出しており、上述した当接保持部９８Ａが先端に形成されている。
【００２５】
図４は、図２のＦＰＣ用コネクタ１０をＶ１方向から見た場合における構成例を示す斜視図であり、図５は、図４に示す姿勢保持軸部材９９をさらに拡大した詳細な構成例を示す斜視図である。なお姿勢保持軸部材９９以外の詳細な構成については図示を省略している。
【００２６】
上記姿勢保持軸部材９９は、図４に示すように外観上、加圧保持部材４０の軸３Ａにおいて端部近傍においてハウジング２０の一部に接触する位置に設けられている。姿勢保持軸部材９９は、図示の状態では、その一部が露出しており、残りの部分はハウジング２０や加圧保持部材４０によって隠されている。
【００２７】
姿勢保持軸部材９９は、図５に示すように、その外観上、凸部９９Ａが形成されている。この凸部９９Ａは、軸３Ａを中心としたほぼ半円柱形状の軸部材３の外周面においてその周面よりも突出した構成となっている。
【００２８】
姿勢保持軸部材９９は、図示のように軸部材３の一部として形成されているため、加圧保持部材４０の回転に連動してＲ方向に回転する。姿勢保持軸部材９９が特に手前方向に回転すると、それに応じて姿勢保持軸部材９９の凸部９９Ａがハウジング２０の第１の接触面２０Ｂに突き当たる構成となっている。
【００２９】
図６は、図５に示すＦＰＣ用コネクタ１０のＸ−Ｘ’線における構成の一部を示す断面図である。図６では、特に姿勢保持軸部材９９、固定部材９８及びハウジング２０の一部を拡大して詳細に図示しており、その他の構成に関しては原則として図示を省略している。
【００３０】
姿勢保持軸部材９９は、加圧保持部材４０の奥行き方向（紙面垂直方向）に所定の幅を有し、加圧保持部材４０の軸３Ａを包含する軸部材３の一部として形成されている。
【００３１】
姿勢保持軸部材９９は、その軸３Ａに沿ってほぼ平行な外周面において、少なくとも第１姿勢保持面９９Ｂ及び第２姿勢保持面９９Ｃが形成されている。第１姿勢保持面９９Ｂには、ハウジング２０の外周面の一部である第１接触面２０Ｂに接触する第１の位置に形成されている。一方、第２姿勢保持面９９Ｃは、固定部材９８の一部を構成する第２接触面９８Ｃに接触する第２の位置に形成されている。つまり姿勢保持軸部材９９は、ハウジング２０と固定部材９８とにより挟み込まれており、加圧保持部材４０の自立性を確保している。
【００３２】
第１姿勢保持面９９Ｂ及び第２姿勢保持面９９Ｃは、互いに姿勢保持軸部材９９の周面において軸３Ａを介してオフセットされた位置に形成されている。すなわち第１姿勢保持面９９Ｂがハウジング２０の第１接触面２０Ｂからの第１の力Ｆ１を受け、第２姿勢保持面９９Ｃが固定部材９８の第２接触面９８Ｃからの第２の力Ｆ２を受けた場合、これらの力Ｆ１，Ｆ２が軸３Ａを挟んでオフセットな状態で姿勢保持軸部材９９に作用するため、姿勢保持軸部材９９が軸３Ａを挟んでＲ１方向に付勢されることになる。
【００３３】
上述のように姿勢保持部材９９は、加圧保持部材４０に形成されているため、姿勢保持部材９９に作用された軸３Ａ周りの力は加圧保持部材４０にも連動して同一方向に作用する。従って加圧保持部材４０は、ハウジング２０に対してＲ１方向、すなわち開く方向に力が付勢される。このような力が加圧保持部材４０に作用すると、加圧保持部材４０は、ハウジング２０に対して開いた状態で自立性を確保することができる。この際、加圧保持部材４０は、従来のような係合構造によりハウジング２０に固定しなくても開いた状態を保持できるため、削りカスによる粉塵が生じにくく信頼性を向上することができる。
【００３４】
図７は、図２に示すＦＰＣ用コネクタ１０をＶ３方向から見た場合の構成例を示す斜視図であり、図８は、図７に示すＦＰＣ用コネクタ１０をＶ４方向から見た場合における背面構成の一部を示す部分背面図である。なお図７に示すＦＰＣ用コネクタ１０においては、加圧保持部材４０が開いた状態を表している。
【００３５】
上述のように加圧保持部材４０の側部には固定部材９８が露出している。この固定部材９８の上部に位置する先端近傍には当接保持部９８Ａが形成されており、この当接保持部９８Ａが加圧保持部材４０の側面４０Ｓを弾性力Ｆ３により付勢している。つまり当接保持部９８Ａは、加圧保持部材４０の回転方向であるＲ方向に垂直となる方向から付勢している。図８に示すように当接保持部９８Ａが加圧保持部材４０に接触している加圧保持部材４０の位置には凹部４０Ｐが形成されている。この凹部４０Ｐには接触した当接保持部９８Ａが嵌り込む構成となっている。
【００３６】
このように当接保持部９８Ａが加圧保持部材４０の凹部４０Ｐに嵌り込むことによって、ハウジング２０に固定されている固定部材９８によって加圧保持部材４０がＲ方向に回転せず、自立性を確保するように構成されている。
【００３７】
図８は、図７に示すＦＰＣ用コネクタ１０をＶ４方向から見た場合の構成例の一部を拡大して示した正面図である。
【００３８】
加圧保持部材４０は、その側面４０Ｓに凹部４０Ｐが形成されている。この凹部４０Ｐには、加圧保持部材４０が開いた状態となると、当接保持部９８Ａが嵌り込むようになっている。すなわち当接保持部９８Ａは、加圧保持部材４０の側面４０Ｓにおいて加圧保持部材４０が回転するＲ方向に対して垂直方向（つまり軸３Ａに沿った方向）に力を作用させ、加圧保持部材４０との接触によって加圧保持部材４０が動かないように保持する構成となっている。なお加圧保持部材４０には、このような凹部４０Ｐが形成されておらず、その側面４０Ｓに固定部材９８の当接保持部９８Ａが接触して力を付勢するだけの形態であっても良い。
【００３９】
図９は、図４に示すＦＰＣ用コネクタ１０のＹ−Ｙ’線における断面構成例を示す断面図である。
【００４０】
加圧保持部材４０には、上述した構成以外にも、加圧保持部材４０の軸３Ａに沿って少なくとも一部に回転支点部９９Ｄが一体として形成されている。すなわち加圧保持部材４０に力が作用して回転すると、回転支点部９９Ｄが加圧保持部材４０の回転に連動してＲ方向に回転する構成となっている。加圧保持部材４０がＲ方向に沿ってハウジング２０に対して閉じられると、加圧保持部材４０に形成された加圧面４９が、受入空洞２３に挿入されたＦＰＣ８０の上面を押圧して位置を固定する。
【００４１】
ハウジング２０は、図示のように、上側壁２１、中間壁９３及び下側壁２２を有する。上側壁２１及び中間壁９３によって上部空洞９１が形成され、中間壁９３及び下側壁２２によって下部空洞９２が形成されている。上部空洞９１は、ハウジング２０の後端２７に形成された上部背面開口部２７Ａから連続する空間である。下部空洞９２は、ハウジング２０の後端２７やや下部に形成された下部背面開口部２７Ｂから連続する空間である。
【００４２】
これら上部空洞９１及び下部空洞９２内においては、それぞれ上面保持具６２及びターミナル６５が互いにほぼ平行となるように配置されている。これら上面保持具６２及びターミナル６５は、互いに独立した別部材として形成されている。
【００４３】
ここでターミナル６５は、その製造時においては圧入される前に、平板上の金属片を打ち抜くことによって連続ブランクとして一括して形成される。すなわち打ち抜いた直後においては、多数のターミナル６５が所定のピッチで配列した構成となっている。つまり、このようなターミナル６５群は、１本１本のターミナル６５がそれぞれ別体として独立しておらず、連続ブランクとして各ターミナル６５が所定ピッチで配列して基部から延びた構成、いわゆる櫛歯状となっている。
【００４４】
そして、このような多数のターミナル６５が基部によって一体となった櫛歯状のターミナル６５群は、ハウジング２０の下部背面開口部２７Ｂに一括して圧入される。このようにすると、作業性が良好で製造コストを大幅に低減することができる。
【００４５】
つまりターミナル６５は、このような圧入直後には（紙面）奥行き方向に沿って多数のコンタクト片が所定ピッチで配列しながらも基部によって結合された一体の構成となっている。このようにターミナル６５は、例えば平板状の導電性金属を打ち抜くことによって各コンタクトを一体として形成可能であり、ハウジング２０に一体的に圧入することができる。ハウジング２０に圧入されたターミナル６５群は基部が除去されることで、各ターミナル６５がハウジング２０内で独立し、互いに絶縁される。
【００４６】
同様に上面保持具６２についても、ターミナル６５とほぼ同様な櫛歯型の形状を有し、例えば平板を打ち抜くことで一体成形することができる。なお上面保持具６２についても、ターミナル６５と同様に、平板状の部材を打ち抜くことで連続ブランクとしての多数の上面保持具６２群として形成し、ハウジング２０に圧入するようにしている。
【００４７】
上部空洞９１内の上部には上面保持具６２が上側壁２１に沿って直線的に配置しており、ハウジング２０の正面側上部に形成された上部正面開口部２７Ｃから延びて露出している。このように露出した上面保持具６２の先端の支点支持部６２Ａは、例えばＳ字型に湾曲した部分の先端を構成となっている。この支点支持部６２Ａは、加圧保持部材４０の回転支点部９９Ｄをその上方からハウジング２０側に向けてＢ方向に付勢して支持している。従って加圧保持部材４０は、ハウジング２０に装着されると、ハウジング２０に対して閉じる状態としたり開いた状態としても、ハウジング２０から抜け落ちることは無い。
【００４８】
一方、ハウジング２０の底部においては、その下部空洞９２内の底部からターミナル６５が底面に沿って受入空洞２３に向けて延びた構成となっている。受入空洞２３に延びたターミナル６５は、その先端がＬ字型に屈曲した形状となっており、その屈曲した形状により突部を形成している接点６５Ａが受入空洞２３内にて露出している。ターミナル６５は、受入空洞２３に挿入されたＦＰＣ８０上の前述した接続部（図示せず）と接触することで、相互に電気的に導通が確保される。さらにターミナル６５の後端は、テール部６０としてＦＰＣ用コネクタ１０が実装されるプリント配線基板上のパターンに表面実装（ＳＭＴ）される。
【００４９】
以上のように、上記実施形態におけるＦＰＣ用コネクタ１０は、所定ピッチで接続部が配列されたＦＰＣ８０の先端が挿入される受入空洞２３が形成されており、受入空洞２３内に所定ピッチで配列された端子６５を備えるハウジング２０と、ＦＰＣ８０がハウジング２０に挿入された状態で、ＦＰＣ８０のほぼ幅方向に沿った軸３Ａを中心として回転されることにより、ＦＰＣ８０を押圧してＦＰＣ８０の接続部とターミナル６５（端子）とを導通させつつハウジング２０に固定する加圧保持部材４０と、ハウジング２０を基板に対して固定する固定部材９８と、を有し、当該加圧保持部材４０は、軸３Ａに沿った軸部材３の一部として構成されており加圧保持部材４０の回転に連動して回転する姿勢保持軸部材９９を備え、当該姿勢保持軸部材９９は、その一部であって軸３Ａに垂直な方向に突出する凸部９９Ａと、姿勢保持軸部材９９の周面に形成された凸部９９Ａの存在によって形成された面であって、ハウジング２０の一部である第１接触面２０Ｂが突き当たる第１姿勢保持面９８Ｂと、姿勢保持軸部材９９の周面において軸３Ａを挟んで第１姿勢保持面９８Ｂとはほぼ線対称な位置に形成された面であって、固定部材９８の一部である第２接触面９８Ｃが突き当たる第２姿勢保持面９９Ｃと、を備え、第１姿勢保持面９８Ｂと第２姿勢保持面９９Ｃとが軸３Ａを介してオフセットされた位置に形成されていることを特徴とする。
【００５０】
このような構成とすると、加圧保持部材４０を操作した際に従来生じていた削りカスによる粉塵の発生を抑制できるとともに、ハウジング２０に対して開いた状態となった加圧保持部材４０の確実な自立性を確保でき、信頼性を向上することができる。
【００５１】
上記実施形態におけるＦＰＣ用コネクタ１０は、上記構成に加えて、固定部材９８は、ハウジング２０に固定された固定部材本体９８Ｃと、固定部材本体９８Ｃの先端近傍に連続して形成されており、加圧保持部材４０の軸３Ａに沿った方向に加圧保持部材４０の側面を付勢する当接保持部９８Ａと、を備えている。
【００５２】
このような構成とすると、ハウジング２０に対して開いた状態となった加圧保持部材４０の確実な自立性を確保することができる。
【００５３】
上記実施形態におけるＦＰＣ用コネクタ１０は、上記構成に加えて、加圧保持部材４０は、軸３Ａに沿って軸３Ａの少なくとも一部に形成された回転支点部９９Ｄを備え、ハウジング２０は、回転支点部９９Ｄを把持しつつハウジング２０の方向へ付勢する上面保持具６２を備えている。
【００５４】
このような構成とすると、加圧保持部材４０がハウジング２０から容易に抜け落ちることが無い。
【００５５】
上記実施形態におけるＦＰＣ用コネクタ１０は、上記構成に加えて、上面保持具６２は、ハウジング２０への付勢方向において薄い平板状の部材となっている。
【００５６】
このような構成とすると、上面保持具６２を形成するのに、平板状の素材材料を打ち抜きにより、しかも複数の上面保持具６２をまとめて形成することができる。このため素材材料を効率良く使用することができる。しかも、まとめて形成した複数の上面保持具６２（いわゆる櫛歯状となっている）を一括してハウジングに圧入して基部を切除すれば、各上面保持具６２をハウジング２０に圧入する手間を大幅に省くことができるため、作業効率が向上する。
【００５７】
以上のように、上記実施形態におけるＦＰＣ用コネクタ１０においては、所定ピッチで接点が配列しているＦＰＣ８０の先端が挿入される受入空洞２３が形成されており、その受入空洞２３内に所定ピッチで配列されたターミナル６５（端子）を備えるハウジング２０と、ＦＰＣ８０がハウジング２０に挿入された状態で、ＦＰＣ８０のほぼ幅方向に沿った軸３Ａを中心として回転されることにより、ＦＰＣ８０を押圧してＦＰＣ８０の接点と端子とを導通させつつハウジング２０に固定する加圧保持部材４０と、所定ピッチで配列する櫛歯状の先端がハウジング２０から加圧保持部材４０に向かって延びるとともに、加圧保持部材４０をハウジング２０側に向けて付勢する上面保持具６２（支点保持部材）と、上面保持具６２とは別途独立した部材であって、ハウジング２０に所定ピッチで固定された接点６５ＡがＦＰＣ８０の接点に接触して電気的に導通するターミナル６５と、を有することを特徴とする。
【００５８】
このようなＦＰＣ用コネクタ１０によれば、上面保持具６２及びターミナル６５は互いに独立した部材であるため、隣り合う上面保持具６２同士又は隣り合うターミナル６５同士は、平板状の素材材料を打ち抜くことにより一括して成型でき、ハウジング２０に一括して圧入することができる。このため、作業効率を向上できるとともに、素材材料を効率良く利用し、製造コストを低減することができる。
【００５９】
また、このようなＦＰＣ用コネクタ１０によれば、上面保持具６２及びターミナル６５は互いに独立した部材であるため、電気的に絶縁されている。このため、例えば上面保持具６２に埃又は汚れが付着して隣り合う上面保持具６２同士がショートしても、ターミナル６５には影響が生じないため、ＦＰＣ用コネクタ１０の信頼性が向上する。
【００６０】
上記実施形態は、以上のような構成に限られず、上述した各構成を適宜選択して組み合わせるなどその他にも様々な形態を採用することができる。
【図面の簡単な説明】
【００６１】
【図１】本発明の実施形態としてのＦＰＣ用コネクタの構成例を示す斜視図である。
【図２】図１に示すＦＰＣ用コネクタの一方の端部を拡大した構成例を示す斜視図である。
【図３】図２に示すＦＰＣ用コネクタをＨ方向から見た場合における側面図である。
【図４】図２のＦＰＣ用コネクタをＶ１方向から見た場合における構成例を示す斜視図である。
【図５】図４に示す姿勢保持軸部材をさらに拡大した詳細な構成例を示す斜視図である。
【図６】図５に示すＦＰＣ用コネクタのＸ−Ｘ‘線における断面構成の一部を示す断面図である。
【図７】図２に示すＦＰＣ用コネクタをＶ３方向から見た場合の構成例を示す斜視図である。
【図８】図７に示すＦＰＣ用コネクタをＶ４方向から見た場合における背面構成の一部を示す部分背面図である。
【図９】図１に示すＦＰＣ用コネクタのＹ−Ｙ‘線における断面構成例を示す断面図である。
【符号の説明】
【００６２】
３      軸部材
１０    ＦＰＣ用コネクタ
２０    ハウジング
２０Ｂ  第１接触面
２３    受入空洞
４０    加圧保持部材
６２    上面保持具（支点保持部材）
６２Ａ  支点支持部
６５    ターミナル（端子）
６５Ａ  接点
８０    ＦＰＣ
９８    固定部材
９８Ａ  当接保持部
９８Ｂ  第２接触面
９９    姿勢保持軸部材
９９Ａ  凸部
９９Ｂ  第１姿勢保持面
９９Ｃ  第２姿勢保持面
【図１】
2010086895.tif 000003
【図２】
2010086895.tif 000004
【図３】
2010086895.tif 000005
【図４】
2010086895.tif 000006
【図５】
2010086895.tif 000007
【図６】
2010086895.tif 000008
【図７】
2010086895.tif 000009
【図８】
2010086895.tif 000010
【図９】
2010086895.tif 000011